(57)【要約】【課題】傘の一部を覆うような形状を備えた遮光性傘カバーを、雨傘として市販されているビニール透明傘に装着し、ビニール透明傘本来の視認性を損なうこと無く、日傘としての機能も同時に果たされることが出来る傘カバーを提供する。【解決手段】カバーシートに石突きに掛け止める止め具１と、露先に掛け止める止め具２を取り付けた傘カバー５Ａをビニール透明傘に装着し、視認性を損なわず日傘としての使用を可能とした。【選択図】図２
0003203811.tif 000002
【実用新案登録請求の範囲】
【請求項１】
傘の一部を覆うような形状を備えた遮光性カバーシートの周縁部に、石突きに装着可能な止め具と、露先に装着可能な止め具をそれぞれ設けた傘カバー。
【請求項２】
上記カバーシートは、紫外線防止機能を有することを特徴とする請求項１記載の傘カバー。
【請求項３】
上記カバーシートは、伸縮性を有することを特徴とする請求項１記載の傘カバー。
【考案の詳細な説明】
【技術分野】
【０００１】  本考案は傘カバーに関するものである。
【背景技術】
【０００２】  雨傘として市販されているビニール透明傘は、視認性が良好という長所はあるが、傘布が透明なため日傘としての使用は困難であった。
【考案の概要】
【考案が解決しようとする課題】
【０００３】  ビニール透明傘を、日傘としても使用することを可能にする傘カバー。
【課題を解決するための手段】
【０００４】  本考案は、傘の一部を覆うような形状を備えた遮光性カバーシートの周縁部に、石突きに装着可能な止め具と、露先に装着可能な止め具をそれぞれ設けた。
【考案の効果】
【０００５】  雨傘として市販されているビニール透明傘を、簡単に日傘としての使用を可能にした。
【図面の簡単な説明】
【０００６】
【図１】本考案の傘カバー平面図。
【図２】本考案の傘カバーを装着した状態を示す正面図。
【図３】本考案の他の形状を示す平面図。
【図４】本考案の他の形状を示す平面図。
【図５】本考案の他の形状を示す平面図。
【図６】本考案の他の形状を示す平面図。
【図７】本考案の他の形状を示す平面図。
【図８】本考案の他の形状を示す平面図。
【図９】本考案の他の形状を示す平面図。
【図１０】本考案の他の形状を示す平面図。
【図１１】本考案の他の形状を示す平面図。
【図１２】本考案の他の形状を示す平面図。
【図１３】本考案の他の形状を示す平面図。
【図１４】本考案の他の実施例の傘カバーを示す平面図。
【図１５】本考案の他の実施例の傘カバーを示す平面図。
【図１６】本考案の傘カバーを装着した状態を示す平面図。
【図１７】本考案の傘カバーを装着した状態を示す平面図。
【図１８】石突き掛け止め具１の斜視図。
【図１９】露先掛け止め具２の斜視図。
【考案を実施するための形態】
【０００７】  図１は、本考案の傘カバーの一例を示すものであり、傘カバー５Ａは撥水性、遮光性並びに黒色のナイロン製の布よりなるカバーシートであり、石突き掛け止め具１は、このカバーシートを装着すべきビニール透明傘の石突きに装着可能な止め具である。また、露先掛け止め具２は、同ビニール透明傘の露先に装着する止め具である。
【０００８】  図２は、図１に示す傘カバーをビニール傘に装着した状態を示すものであり、止め具１を石突き６に装着すると共に、止め具２を露先に装着する。
【０００９】    このようにすると、ビニール透明傘の傘布４の一部が傘カバー５Ａで覆われた状態になる。そしてこの状態の傘を使用すると雨傘として使用出来ることは言うまでもなく、傘カバー５Ａで覆われた部分を太陽と人の頭部の間にくるように傘を持つことにより、ビニール透明傘本来の視認性を損なうこと無く日傘としての機能も同時に果たされることが出来る。
また、３は中棒、４はビニール透明傘布、６は石突き、７は露先、８は手元である。
【００１０】  また、図２では図３に示すように傘全体で八コマある一コマの部分に傘カバーを装着するようにした例である。
【００１１】  次に、日除け効果と視認性のバランスを考慮して、多様な例が考えられる。図４から図１３は、ビニール透明傘のどの部分に覆うかを考慮したカバーシートの形状例である。
【００１２】  図４は二コマ、図５は三コマ、図６は四コマ、図７は五コマ、図８は六コマ、図９は七コマ、図１０は四角にした形状、図１１は、逆三角形の形状、図１２は傘半面に装着した逆三角形の形状、図１３は、三角形の形状である。
【００１３】  図１４、図１５はそれぞれ図６、図１２の場合の傘カバー構造を示すものである。
【００１４】  また、図１４は本考案の傘カバーの一例を示すものであり、傘カバー５Ｂは撥水性、遮光性並びに黒色のナイロン製の布よりなるカバーシートであり、図１５も本考案の傘カバーの一例を示すものであり、傘カバー５Ｃも撥水性、遮光性並びに黒色のナイロン製の布よりなるカバーシートである。
【００１５】  本考案の傘カバー５Ａ、５Ｂ，５Ｃの素材は、ポリウレタン、ポリエステル、並びにレーヨン等の合成繊維素材であってもよい。
【００１６】  図１８の石突き掛け止め具１は、ドーナッツ型形状のハトメのようなもので、カバーシートの一端に取り付け傘中央部の石突きに掛け止めするものである。
また素材は、掛け止め後簡単に破損しない為の強度を有するものであればよい。例えばアルミニウム、真鍮、鉄、ステンレス、並びにブリキ等の金属製及び合成樹脂製のプラスチックハトメを使用することが出来る。
【００１７】  図１９の露先止め部品２は、円筒型形状の止め具でありカバーシートの一端に取り付け露先に掛け止めするものである。
また素材は、掛け止め後簡単に破損しない為の強度を有するものであればよい。例えばアルミニウム、真鍮、鉄、ステンレス、並びにブリキ等の金属製及びポリアミド、ＰＶＣ、ＰＥ、ＰＰ、ＡＢＳ、ＰＭＭＡ、並びにＰＥＴ等の合成樹脂製、又は天然ゴムや合成ゴム製であってもよい。
【００１８】
【産業上の利用可能性】
【００１９】  雨天時に使われていたビニール透明傘が、本考案の傘カバーを装着することで、簡単にビニール傘の長所である視認性と、日除け効果を同時に確保出来る傘として使用可能なことが有益である。
【符号の説明】
【００２０】１  石突き掛け止め具
２  露先掛け止め具
３  中棒（なかぼう）
４  ビニール透明傘布
５Ａ、５Ｂ、５Ｃ  傘カバー
６  石突き（いしづき）
７  露先（つゆさき）
８  手元（ハンドル）
【図１】
0003203811.tif 000003
【図２】
0003203811.tif 000004
【図３】
0003203811.tif 000005
【図４】
0003203811.tif 000006
【図５】
0003203811.tif 000007
【図６】
0003203811.tif 000008
【図７】
0003203811.tif 000009
【図８】
0003203811.tif 000010
【図９】
0003203811.tif 000011
【図１０】
0003203811.tif 000012
【図１１】
0003203811.tif 000013
【図１２】
0003203811.tif 000014
【図１３】
0003203811.tif 000015
【図１４】
0003203811.tif 000016
【図１５】
0003203811.tif 000017
【図１６】
0003203811.tif 000018
【図１７】
0003203811.tif 000019
【図１８】
0003203811.tif 000020
【図１９】
0003203811.tif 000021